(57)【要約】【課題】番組表示システムにおいて、表示中の番組の映像と同時に表示を行うコンテンツ情報について、その表示のスケジューリングを的確に行う。【解決手段】テレビ受像器ＴＶは、放送局ＴＶＳから番組の映像と電子番組表データとを受信するとともに、コンテンツサーバＣＳからコンテンツ情報に対応付けられたＲＳＳデータを受信する。そして、そのＲＳＳデータを用いて、コンテンツ情報に関連する番組を電子番組表データから検索する。テレビ受像器ＴＶは、検索された番組とその番組に関連するコンテンツ情報を同時に表示するにあたり、中央サーバＳＶに対して、これらの同時表示が可能であるか否かを問い合わせる。中央サーバＳＶは、その番組とコンテンツ情報との内容が適合しないと判断した場合には、コンテンツ情報の表示に対して制限を行う。【選択図】図１
2007158828.tif 000002
【特許請求の範囲】
【請求項１】
番組の映像とコンテンツ情報とを表示装置に同時に表示する番組表示システムであって、
番組の映像信号を受信する映像受信部と、
各番組の内容と該各番組の放送時刻とが関連づけられた番組データを受信する番組データ受信部と、
前記コンテンツ情報と、該コンテンツ情報の所在および概要を表す概要情報とを保持し、該概要情報を配信するサーバから、前記コンテンツ情報および前記概要情報を受信する情報受信部と、
前記番組データ受信部によって受信した番組データの内容と、前記情報受信部によって受信した前記概要情報の内容とに応じて、該概要情報と該概要情報に関連する番組とを対応付けるスケジュール部と、
前記スケジュール部から前記番組が対応付けられた概要情報を入力し、該概要情報に対応する前記コンテンツ情報が、該概要情報に対応付けられた前記番組の内容に適合するかを所定の適合条件に基づき判断し、該判断結果に応じて、該コンテンツ情報の表示を制御するための制御情報を該概要情報に対応付けるコンテンツ表示制御部と、
前記映像受信部によって受信した映像信号に応じて該映像信号が表す番組を前記表示装置に表示する番組表示部と、
前記番組表示部によって表示されている番組に対応付けられた前記概要情報に対応する前記コンテンツ情報を、該概要情報に対応付けられた前記制御情報に応じた制御を行いながら前記番組とともに表示するコンテンツ表示部と
を備える番組表示システム。
【請求項２】
請求項１に記載の番組表示システムであって、
前記コンテンツ表示制御部における前記所定の適合条件は、前記番組毎に、該番組との同時表示を制御する前記コンテンツ情報の所在と、前記制御情報の内容とが対応付けられたテーブルとして規定されている
番組表示システム。
【請求項３】
請求項２に記載の番組表示システムであって、
前記テーブルには、前記制御情報の内容として、少なくとも表示可、警告付き表示可、表示不可のうち、いずれか一つが対応付けられている
番組表示システム。
【請求項４】
請求項３に記載の番組表示システムであって、
前記コンテンツ表示部は、前記概要情報に対応付けられた前記制御情報の内容が、警告付き表示可、であれば、前記コンテンツ情報と前記番組との同時表示に先立って、所定の警告メッセージを表示する
番組表示システム。
【請求項５】
請求項３に記載の番組表示システムであって、
前記コンテンツ表示部は、前記概要情報に対応付けられた前記制御情報の内容が、表示不可、であれば、前記コンテンツ情報と前記番組との同時表示を制限する
番組表示システム。
【請求項６】
請求項５に記載の番組表示システムであって、
前記コンテンツ表示部は、前記コンテンツ情報と前記番組との同時表示を制限した場合において、ユーザによって前記番組の表示が中断された場合には、前記コンテンツ情報を単独で表示する
番組表示システム。
【請求項７】
請求項２に記載の番組表示システムであって、
前記テーブルには、更に、前記番組毎に、前記コンテンツ情報の表示の優先度を表す情報が対応づけられており、
前記コンテンツ表示制御部は、前記テーブルに基づく判断結果に応じて、前記概要情報に対し、該概要情報に対応する前記コンテンツ情報の表示の優先度を表す情報を付加し、
前記コンテンツ表示部は、前記概要情報を、前記優先度に従って表示する
番組表示システム。
【請求項８】
請求項１ないし請求項７のいずれかに記載の番組表示システムであって、
前記情報受信部が受信する前記コンテンツ情報は、インターネット上で公開されるウェブページであり、前記概要情報は、該ウェブページの所在アドレスへのリンクを含み、該ウェブページの概要が記述されたＲＳＳ形式のデータである
番組表示システム。
【請求項９】
請求項８に記載の番組表示システムであって、
前記スケジュール部は、前記対応付けを行う番組の放送時刻およびチャンネルを表すデータを前記番組データから取得し、該放送時刻およびチャンネルを表すデータを、前記ＲＳＳ形式に従った所定のタグを用いて前記概要情報に付加することで、前記概要情報に前記番組を対応付ける
番組表示システム。
【請求項１０】
請求項８に記載の番組表示システムであって、
前記コンテンツ表示制御部は、前記制御情報を表すデータを、前記ＲＳＳ形式に従った所定のタグを用いて前記概要情報に付加することで、前記概要情報に前記制御情報を対応付ける
番組表示システム。
【請求項１１】
請求項１に記載の番組表示システムであって、
前記情報受信部は、前記受信する概要情報の種別の指定をユーザから入力する手段を備え、該指定された種別に該当する前記概要情報を前記サーバから受信する
番組表示システム。
【請求項１２】
請求項１ないし請求項１１のいずれかに記載の番組表示システムであって、
前記映像受信部と前記番組データ受信部と前記情報受信部と前記スケジュール部と前記番組表示部と前記コンテンツ表示部とは、前記表示装置に備えられ、
前記コンテンツ表示制御部は、前記表示装置とインターネットを介して接続され、前記表示装置および前記サーバとは別体の装置に備えられ、
前記表示装置は、前記別体の装置に対して、前記番組が対応付けられた概要情報に対応する前記コンテンツ情報が、該番組の内容に適合するか否かを問い合わせる
番組表示システム。
【請求項１３】
番組の映像とコンテンツ情報とを表示装置に同時に表示する番組表示方法であって、
番組の映像信号を受信し、
各番組の内容と該各番組の放送時刻とが関連づけられた番組データを受信し、
前記コンテンツ情報と、該コンテンツ情報の所在および概要を表す概要情報とを保持し、該概要情報を配信するサーバから、前記コンテンツ情報および前記概要情報を受信し、
前記受信した番組データの内容と、前記受信した前記概要情報の内容とに応じて、該概要情報と該概要情報に関連する番組とを対応付け、
前記番組が対応付けられた概要情報を入力し、該概要情報に対応する前記コンテンツ情報が、該概要情報に対応付けられた前記番組の内容に適合するかを所定の適合条件に基づき判断し、該判断結果に応じて、該コンテンツ情報の表示を制御するための制御情報を該概要情報に対応付け、
前記受信した映像信号に応じて該映像信号が表す番組を前記表示装置に表示し、
前記表示されている番組に対応付けられた前記概要情報に対応する前記コンテンツ情報を、該概要情報に対応付けられた前記制御情報に応じた制御を行いながら前記番組とともに表示する
番組表示方法。
【発明の詳細な説明】
【技術分野】
【０００１】
本発明は、番組の映像とコンテンツ情報とを同時に表示する技術に関する。
【背景技術】
【０００２】
近年、普及が推進されているデジタルテレビ放送では、通常の番組の放送に加え、天気情報やスポーツの速報情報などのコンテンツ情報も放送波によって放送されている。このような放送を受信するテレビには、ＢＭＬブラウザと呼ばれるソフトウェアが組み込まれており、かかるＢＭＬブラウザによって、番組の映像とコンテンツ情報とを同時に表示することができる（下記特許文献１参照）。
【０００３】
また、近年では、インターネットと接続可能なテレビも登場しており、その中には、番組の映像とインターネット上に存在するさまざまなコンテンツ情報とを同時に表示可能なテレビもある（下記特許文献２参照）。
【０００４】
【特許文献１】特開２００３−２９８９３８号公報
【特許文献２】特開２００５−２１７９１９号公報
【０００５】
このように、コンテンツ情報と放送番組とを同時に表示可能なテレビでは、現在表示中の番組の内容とコンテンツ情報の内容とが関連せず、ユーザにとって知りたい情報が同時に表示されない場合があった。また、表示中の番組の制作者やスポンサ等とコンテンツ情報の内容とに利害関係があり、番組制作者等が意図しないコンテンツ情報が番組と同時に表示されるおそれもあった。
【発明の開示】
【発明が解決しようとする課題】
【０００６】
このような問題を考慮し、本発明が解決しようとする課題は、表示中の番組の映像と同時に表示を行うコンテンツ情報について、その表示のスケジューリングを的確に行うことにある。
【課題を解決するための手段】
【０００７】
上記課題を解決するため、本発明の番組表示システムを次のように構成した。すなわち、
番組の映像とコンテンツ情報とを表示装置に同時に表示する番組表示システムであって、
番組の映像信号を受信する映像受信部と、
各番組の内容と該各番組の放送時刻とが関連づけられた番組データを受信する番組データ受信部と、
前記コンテンツ情報と、該コンテンツ情報の所在および概要を表す概要情報とを保持し、該概要情報を配信するサーバから、前記コンテンツ情報および前記概要情報を受信する情報受信部と、
前記番組データ受信部によって受信した番組データの内容と、前記情報受信部によって受信した前記概要情報の内容とに応じて、該概要情報と該概要情報に関連する番組とを対応付けるスケジュール部と、
前記スケジュール部から前記番組が対応付けられた概要情報を入力し、該概要情報に対応する前記コンテンツ情報が、該概要情報に対応付けられた前記番組の内容に適合するかを所定の適合条件に基づき判断し、該判断結果に応じて、該コンテンツ情報の表示を制御するための制御情報を該概要情報に対応付けるコンテンツ表示制御部と、
前記映像受信部によって受信した映像信号に応じて該映像信号が表す番組を前記表示装置に表示する番組表示部と、
前記番組表示部によって表示されている番組に対応付けられた前記概要情報に対応する前記コンテンツ情報を、該概要情報に対応付けられた前記制御情報に応じた制御を行いながら前記番組とともに表示するコンテンツ表示部と
を備えることを要旨とする。
【０００８】
本発明の番組表示システムでは、所定のサーバから受信した概要情報の内容と、番組データの内容とに応じて、概要情報とこの概要情報に関連する番組とを対応付ける。そのため、表示装置を用いて番組を表示する際には、番組と関連のある概要情報に対応したコンテンツ情報を、その番組と同時に表示することができるので、ユーザの利便性を向上させることができる。
【０００９】
また、本発明では、コンテンツ情報そのものではなく、コンテンツ情報の概要を表す概要情報を用いて、互いに関連する概要情報と番組とを対応付けることができる。そのため、同時に表示される番組とコンテンツ情報の関連性を容易に高めることができる。
【００１０】
また、本発明では、概要情報と番組とを対応付けた後に、更に、所定の適合条件に基づき、その概要情報に対応するコンテンツ情報がその番組の内容に適合しているかを判断する。そして、この判断結果に応じて、番組と同時に表示するコンテンツ情報の表示態様を制御する。従って、本発明によれば、表示中の番組と同時に表示を行おうとするコンテンツ情報が、相互に関連する内容であったとしても、番組のスポンサ等との兼ね合いによって同時表示が好ましくない場合には、これらを同時に表示することを制限することが可能になる。つまり、本発明によれば、ユーザの利便性と番組のスポンサ等の意向との調和を図り、現在表示中の番組と同時に表示を行うコンテンツ情報について的確な表示のスケジューリングを行うことが可能になる。
【００１１】
なお、本発明において、映像受信部は、番組を放送する放送局から放送波によって番組の映像信号を受信することができる。また、番組データ受信部は、放送波やインターネットを介して番組データを受信することができる。また、情報受信部は、インターネットを介して概要情報やコンテンツ情報を受信することができる。
【００１２】
上記構成の番組表示システムにおいて、
前記コンテンツ表示制御部における前記所定の適合条件は、前記番組毎に、該番組との同時表示を制御する前記コンテンツ情報の所在と、前記制御情報の内容とが対応付けられたテーブルとして規定されているものとしてもよい。
【００１３】
このような構成によれば、所定のテーブルを参照するだけで、同時に表示しようとするコンテンツ情報と番組の内容が適合するか否かを判断することができるので、処理を単純化することができる。なお、上述したテーブルは、例えば、番組の放送局や制作者、スポンサなどが設定することができる。
【００１４】
上記構成の番組表示システムにおいて、
前記テーブルには、前記制御情報の内容として、少なくとも表示可、警告付き表示可、表示不可のうち、いずれか一つが対応付けられているものとしてもよい。
【００１５】
このような構成によれば、コンテンツ情報の表示に対して様々な制御を行うことができる。
【００１６】
上記構成の番組表示システムにおいて、
前記コンテンツ表示部は、前記概要情報に対応付けられた前記制御情報の内容が、警告付き表示可、であれば、前記コンテンツ情報と前記番組との同時表示に先立って、所定の警告メッセージを表示するものとすることができる。
【００１７】
このような構成によれば、例えば、番組とコンテンツ情報との関連性が高い場合であっても、番組制作者等の意向で、その同時表示を制限したい場合に、所定の警告メッセージを表示し、その後、これらを同時に表示することができる。こうすることで、番組とコンテンツ情報の同時表示を一律に制限するのではなく、番組制作者等の意向とユーザの利便性との調整を図った上で、番組とコンテンツ情報の同時表示を行うことが可能になる。
【００１８】
上記構成の番組表示システムにおいて、
前記コンテンツ表示部は、前記概要情報に対応付けられた前記制御情報の内容が、表示不可、であれば、前記コンテンツ情報と前記番組との同時表示を制限するものとすることができる。
【００１９】
このような構成によれば、番組とコンテンツ情報との間に利害関係があるような場合に、これらの同時表示を制限することが可能になる。
【００２０】
上記構成の番組表示システムにおいて、
前記コンテンツ表示部は、前記コンテンツ情報と前記番組との同時表示を制限した場合において、ユーザによって前記番組の表示が中断された場合には、前記コンテンツ情報を単独で表示するものとすることができる。
【００２１】
このような構成であれば、番組とコンテンツ情報との間に利害関係があるような場合であっても、コンテンツ情報を単独で表示することができるので、番組のスポンサ等の意向を汲んだ表示の制御を行うことができる。
【００２２】
上記構成の番組表示システムにおいて、
前記テーブルには、更に、前記番組毎に、前記コンテンツ情報の表示の優先度を表す情報が対応づけられており、
前記コンテンツ表示制御部は、前記テーブルに基づく判断結果に応じて、前記概要情報に対し、該概要情報に対応する前記コンテンツ情報の表示の優先度を表す情報を付加し、
前記コンテンツ表示部は、前記概要情報を、前記優先度に従って表示するものとしてもよい。
【００２３】
このような構成によれば、１つの番組に複数のコンテンツ情報が対応付けられた場合等において、各コンテンツ情報の表示の優先度を設定することができる。そのため、コンテンツ情報の表示スケジュールを柔軟に設定することが可能になる。
【００２４】
上記構成の番組表示システムにおいて、
前記情報受信部が受信する前記コンテンツ情報は、インターネット上で公開されるウェブページであり、前記概要情報は、該ウェブページの所在アドレスへのリンクを含み、該ウェブページの概要が記述されたＲＳＳ形式のデータであるものとしてもよい。
【００２５】
このような構成によれば、コンテンツ情報が汎用的なウェブページとして構築されており、また、概要情報がインターネット上の標準規格であるＲＳＳ形式によって生成されている。そのため、情報受信部は、汎用的なＩＰプロトコルを用いて、サーバから容易に概要情報とコンテンツ情報を受信することができる。なお、「ＲＳＳ」とは、「Rich Site Summery」や「Really Simple Syndication」、「RDF Site Summary」等の略称であり、そのバージョンには、０．９系、１．０系、２．０系等種々のものが存在する。本発明では、いずれのバージョンを用いるものとしてもよい。
【００２６】
上記構成の番組表示システムにおいて、
前記スケジュール部は、前記対応付けを行う番組の放送時刻およびチャンネルを表すデータを前記番組データから取得し、該放送時刻およびチャンネルを表すデータを、前記ＲＳＳ形式に従った所定のタグを用いて前記概要情報に付加することで、前記概要情報に前記番組を対応付けるものとしてもよい。
【００２７】
このような構成によれば、ＲＳＳ形式の書式に従って、概要情報に番組を対応付けることができるので、処理の容易化を図ることができる。なお、ＲＳＳ形式の書式としては、ＲＳＳ形式に既に規定された書式を用いるものとしてもよいし、ＲＳＳ形式に従ってユーザ定義された書式を用いるものとしてもよい。
【００２８】
上記構成の番組表示システムにおいて、
前記コンテンツ表示制御部は、前記制御情報を表すデータを、前記ＲＳＳ形式に従った所定のタグを用いて前記概要情報に付加することで、前記概要情報に前記制御情報を対応付けるものとしてもよい。
【００２９】
このような構成によれば、ＲＳＳ形式の書式に従って、概要情報に制御情報を対応付けることができるので、処理の容易化を図ることができる。
【００３０】
上記構成の番組表示システムにおいて、
前記情報受信部は、前記受信する概要情報の種別の指定をユーザから入力する手段を備え、該指定された種別に該当する前記概要情報を前記サーバから受信するものとしてもよい。
【００３１】
このような構成によれば、ユーザの嗜好に応じたコンテンツ情報が表示装置に表示されるため、ユーザの利便性を高めることができる。
【００３２】
上記構成の番組表示システムにおいて、
前記映像受信部と前記番組データ受信部と前記情報受信部と前記スケジュール部と前記番組表示部と前記コンテンツ表示部とは、前記表示装置に備えられ、
前記コンテンツ表示制御部は、前記表示装置とインターネットを介して接続され、前記表示装置および前記サーバとは別体の装置に備えられ、
前記表示装置は、前記別体の装置に対して、前記番組が対応付けられた概要情報に対応する前記コンテンツ情報が、該番組の内容に適合するか否かを問い合わせるものとしてもよい。
【００３３】
このような構成によれば、表示装置が設置されているユーザ宅から離れた場所に設置されている装置によって、番組とコンテンツ情報の同時表示を制御することができるので、番組のスポンサ等による適合条件の設定を容易に行うことが可能になる。かかる装置は、例えば、放送局やユーザとは異なる第三者が運営する構成とすることができる。
【００３４】
なお、本発明は、上述した番組表示システムとしての構成のほか、番組の映像とコンテンツ情報とを表示装置に同時に表示する番組表示方法としても構成することができる。
【発明を実施するための最良の形態】
【００３５】
以下、上述した本発明の作用・効果を一層明らかにするため、本発明の実施の形態を実施例に基づき次の順序で説明する。
Ａ．番組表示システムのシステム構成：
Ｂ．番組表示システムの機能構成：
Ｃ．番組表示システム全体における処理の流れ：
Ｄ．効果：
Ｅ．変形例：
【００３６】
Ａ．番組表示システムのシステム構成：
図１は、実施例としての番組表示システム１０の概略構成を示す説明図である。図示するように、本実施例の番組表示システム１０は、放送局ＴＶＳと、テレビ受像器ＴＶと、コンテンツサーバＣＳと、中央サーバＳＶとから構成される。テレビ受像器ＴＶと、コンテンツサーバＣＳと、中央サーバＳＶとは、インターネットＩＮＴを介して相互に接続されている。
【００３７】
図１に示すように、放送局ＴＶＳと、コンテンツサーバＣＳとは、番組表示システム１０内に複数存在していてもよく、本実施例では、放送局が２つ（放送局ＴＶＳ１，ＴＶＳ２）、コンテンツサーバＣＳが３つ（コンテンツサーバＣＳ１〜ＣＳ３）存在している場合を示した。
【００３８】
放送局ＴＶＳは、テレビ番組の映像とともに、各放送局が放送するテレビ番組の内容とその放送時刻（放送開始時刻と放送終了時刻とを含む。以下同じ）との対応関係を表す電子番組表データを放送波によって放送する。
【００３９】
図２は、放送局ＴＶＳによって放送される電子番組表データの一例を示す説明図である。図示するように、電子番組表データには、放送局のチャンネル、番組名、その番組の放送時刻、番組の出演者、その番組の概要等の情報が含まれている。
【００４０】
説明を図１に戻す。コンテンツサーバＣＳは、ＨＴＭＬ言語等で記述された様々なＷｅｂページをコンテンツ情報として保持しており、それぞれが、いわゆるＷｅｂサイトを構築している。各コンテンツサーバＣＳには、そのインターネット上の所在を表すＵＲＬ（Uniform Resource Locator）が一意に割り振られている。
【００４１】
各コンテンツサーバＣＳは、コンテンツ情報を保持すると共に、そのコンテンツ情報の概要を表すＲＳＳデータを保持している。コンテンツサーバＣＳは、このＲＳＳデータを定期的にインターネット上に配信している。「ＲＳＳ」とは、Ｗｅｂページの見出しや要約を表すメタデータを構造化して記述するＸＭＬベースのフォーマットであり、主にＷｅｂサイトの更新情報を公開するために使用されている。
【００４２】
テレビ受像器ＴＶは、テレビチューナを備えており、放送局ＴＶＳから、テレビ番組の映像を受信するとともに、図２に示した電子番組表データを受信する。近年普及が進むデジタル放送では、ＭＰＥＧ２−ＴＳ（トランスポート・ストリーム）と呼ばれるプロトコルに基づき、放送が行われており、１つのデータ列（ストリーム）の中に、番組の映像や音声、電子番組表データ等が多重化して含まれている。テレビ受像器ＴＶは、かかるデータ列をテレビチューナを介して受信し、その中から映像や音声、電子番組表データを抽出する。電子番組表データは、上述したデータ列の、「ＳＩ（Service Information，番組配列情報）」と呼ばれるセクションに記録されている。「セクション」とは、ＭＰＥＧ２−ＴＳで伝送可能なデータ形式の１つのことをいう。また、アナログ放送においては、放送局ＴＶＳによって放送される映像信号には、画面を描き終わってから次の画面を描きはじめるまでのインターバル期間（一般的に「垂直帰線消去期間」と呼ばれる）が設けられており、電子番組表データは、この期間を利用して放送局から放送される。
【００４３】
テレビ受像器ＴＶは、ネットワークインタフェースを備えており、インターネットＩＮＴを介して、コンテンツサーバＣＳからＲＳＳデータやコンテンツ情報を受信する。テレビ受像器ＴＶは、ルータＲＴやモデム（図示せず）などの接続機器を介してインターネットＩＮＴに接続されている。
【００４４】
テレビ受像器ＴＶは、放送波を介して受信した番組の映像と、インターネットＩＮＴを介して受信したコンテンツ情報とを１画面内に同時に表示する機能を備える。テレビ受像器ＴＶは、これらを同時に表示するにあたり、中央サーバＳＶに対してこれらの同時表示が可能であるか否かを問い合わせる。
【００４５】
テレビ受像器ＴＶには、リモコンＲＣが付属している。ユーザは、このリモコンＲＣを操作することで、再生する放送局ＴＶＳのチャンネルの選択や、テレビ受像器ＴＶに対する種々の操作を行うことができる。
【００４６】
中央サーバＳＶは、テレビ受像器ＴＶからの問い合わせに応じて、番組の映像とコンテンツ情報の同時表示が可能であるか否かを判断する。そして、その判断結果に応じて、テレビ受像器ＴＶにおけるコンテンツ情報の表示を制御する。この中央サーバＳＶは、本願の「コンテンツ表示制御部」に対応する。
【００４７】
Ｂ．番組表示システムの機能構成：
図３は、番組表示システム１０の詳細な機能構成を示すブロック図である。番組表示システム１０は、図１に示したように、放送局ＴＶＳとテレビ受像器ＴＶとコンテンツサーバＣＳと中央サーバＳＶとによって構成されている。
【００４８】
（Ｂ−１）放送局：
放送局ＴＶＳは、テレビ受像器ＴＶに放送を行う映像コンテンツとして、複数の放送番組を保持しているとともに、各放送番組の番組名、放送時刻、出演者、概要等の情報から構成される電子番組表データを保持している（図２参照）。放送局ＴＶＳは、アンテナ等の放送手段１１０を通じて、放送波によって、放送番組や電子番組表データを放送する。
【００４９】
（Ｂ−２）コンテンツサーバ：
コンテンツサーバＣＳは、ＣＰＵやメモリ、ハードディスク等を備える汎用的なコンピュータである。ハードディスクには、様々なコンテンツ情報や、各コンテンツ情報に対応するＲＳＳデータが概要情報として記憶されている。ＣＰＵは、メモリをワークエリアとして用いつつ、ハードディスクにインストールされた所定の制御プログラムを実行することで、図示する情報送信部２１０として機能する。
【００５０】
情報送信部２１０は、ハードディスクに保持されているＲＳＳデータを、そのＲＳＳデータに対応するコンテンツ情報が更新されたタイミングや、１日に１回、１時間に１回などの定期的なタイミングで、インターネットＩＮＴ上に配信する。
【００５１】
また、情報送信部２１０は、インターネットＩＮＴを介してテレビ受像器ＴＶによって指定されたコンテンツ情報をテレビ受像器ＴＶに送信する機能を有する。
【００５２】
（Ｂ−３）テレビ受像器：
テレビ受像器ＴＶは、ＣＰＵやメモリ、ＲＯＭ等を備えている。ＣＰＵは、メモリをワークエリアとして用いつつ、ＲＯＭに記録された所定の制御プログラムを実行することで、図示するチャンネル切換部３１０、放送受信部３２０、コンテンツ指示部３３０、情報受信部３４０、スケジュール部３５０、再生制御部３６０、再生部３７０、として機能する。
【００５３】
チャンネル切換部３１０は、リモコンＲＣによるユーザの操作に応じて、放送受信部３２０によって受信する放送局ＴＶＳのチャンネルを切り換える。
【００５４】
放送受信部３２０は、チャンネル切換部３１０によって指示されたチャンネルの放送波と電子番組表データとを受信する。放送受信部３２０は、番組の映像については、後述する再生制御部３６０に出力し、電子番組表データについては、後述するスケジュール部３５０に出力する。
【００５５】
コンテンツ指示部３３０は、リモコンＲＣを介したユーザからの設定操作に従い、コンテンツサーバＣＳから受信するコンテンツ情報のジャンルや配信元を設定する機能を有する。
【００５６】
情報受信部３４０は、インターネットＩＮＴを介して、コンテンツサーバＣＳから定期的に配信されるＲＳＳデータを受信する。情報受信部３４０は、コンテンツ指示部３３０によって受信するコンテンツ情報のジャンルや配信元が設定されている場合には、かかる設定に従ってＲＳＳデータの受信を行う。
【００５７】
なお、情報受信部３４０は、所定のアルゴリズムによって、受信するＲＳＳデータを自動的に選択するものとしてもよい。例えば、ユーザによって登録されたキーワードに関連するＲＳＳデータを自動的に受信するものとしてもよいし、検索サイトでヒット数の多いサイトに関連するＲＳＳデータを自動的に受信するものとしてもよい。また、更新時刻の新しいＲＳＳデータを優先して受信してもよいし、受信するＲＳＳデータを全くランダムに選択するものとしてもよい。
【００５８】
図４は、情報受信部３４０がコンテンツサーバＣＳから受信するＲＳＳデータの一例を示す説明図である。図示するように、ＲＳＳデータは、大きく分けて、「ｃｈａｎｎｅｌ要素」と「ｉｔｅｍ要素」とに記述内容が分かれている。「ｃｈａｎｎｅｌ要素」には、そのＲＳＳデータによって配信される概要情報のリストが記述されており、「ｉｔｅｍ要素」には、そのリストに対応する概要情報が記述されている。なお、ここでいう「ｃｈａｎｎｅｌ要素」とは、放送波の周波数を表す「チャンネル」とは無関係な用語である。
【００５９】
各ｉｔｅｍ要素は、「ｔｉｔｌｅ」タグと、「ｌｉｎｋ」タグと、「ｄｅｓｃｒｉｐｔｉｏｎ」タグとを含んでいる。「ｔｉｔｌｅ」タグには、その概要情報のタイトルが記述され、「ｌｉｎｋ」タグには、その概要情報に対応するコンテンツ情報のＵＲＬが記述されている。また、「ｄｅｓｃｒｉｐｔｉｏｎ」タグには、そのコンテンツ情報の要約が記述されている。図４に示した例では、各ｉｔｅｍ要素の「ｔｉｔｌｅ」タグに記述されているように、「本日の天気」、「ＰＣマーケット情報」、「話題のテレビ番組」の３種類の概要情報が１つのＲＳＳデータに含まれている。
【００６０】
説明を図３に戻す。情報受信部３４０は、このように構成されたＲＳＳデータを、各コンテンツサーバＣＳから受信し、受信したＲＳＳデータを、スケジュール部３５０に対して出力する。
【００６１】
スケジュール部３５０は、情報受信部３４０からＲＳＳデータを入力すると、放送受信部３２０から入力した電子番組表データを参照して、そのＲＳＳデータに関連する番組を検索する。例えば、ＲＳＳデータ内の「ｔｉｔｌｅ」タグや「ｄｅｓｃｒｉｐｔｉｏｎ」タグに「車」に関するキーワードが記述されていれば、車に関する放送番組を電子番組表データから検索する。また、例えば、図４に示した２つ目のｉｔｅｍ要素のように、「ｔｉｔｌｅ」タグや「ｄｅｓｃｒｉｐｔｉｏｎ」タグに「ＰＣ」というキーワードが記述されていれば、「ＰＣ」という用語に関連する「パソコン」といった用語を、テレビ受像器ＴＶに内蔵する辞書データ等から取得し、「ＰＣ」と「パソコン」のいずれかのキーワードを含む放送番組を電子番組表データから検索するものとしてもよい。
【００６２】
スケジュール部３５０は、情報受信部３４０から入力したＲＳＳデータに関連する番組を電子番組表データから検索すると、そのＲＳＳデータに対して、検索された番組のチャンネルと放送時刻の情報を付加する。こうすることで、ＲＳＳデータと放送番組が対応付けられ、その放送番組がテレビ受像器ＴＶによって表示される際に、そのＲＳＳデータに対応するコンテンツ情報が同一画面上に表示される候補となる。つまり、ＲＳＳデータに対して付加した放送時刻は、そのＲＳＳデータの表示を行う表示時刻を表すことになる。以下では、こうして表示時刻とチャンネルの情報を付加したＲＳＳデータのことを、「時刻情報付ＲＳＳデータ」という。
【００６３】
図５は、スケジュール部３５０によって生成される時刻情報付ＲＳＳデータの一例を示す説明図である。図示するように、このＲＳＳデータには、図４に記載したＲＳＳデータに対して、各ｉｔｅｍ要素に、「ｓｍｉｌｅｐｌａｙ：ｐｌａｙｓｔａｒｔ」と記載されたタグと、「ｓｍｉｌｅｐｌａｙ：ｐｌａｙｅｎｄ」と記載されたタグ、および、「ｓｍｉｌｅｐｌａｙ：ｃｈａｎｎｅｌ」と記載されたタグが追加されている。こうして追加された各タグには、それぞれ、表示開始時刻、表示終了時刻、放送局のチャンネル、の各情報が付加されている。これらの追加されたタグは、ＲＳＳデータで拡張されたＸＭＬ名前空間を示す「ｓｍｉｌｅｐｌａｙ」の宣言部への追加（図の５行目）により、その表記方法が定められているものとする。
【００６４】
説明を図３に戻す。スケジュール部３５０は、図５に示した時刻情報付ＲＳＳデータを生成すると、この時刻情報付ＲＳＳデータを中央サーバＳＶに対して送信する。中央サーバＳＶにおける処理の詳細については後述するが、中央サーバＳＶでは、スケジュール部３５０から受信した時刻情報付ＲＳＳデータのリンク先のコンテンツ情報の表示を制御するための制御情報、および、表示の優先度を調整するための優先度情報がＲＳＳデータに付加され、そのＲＳＳデータが、スケジュール部３５０に返信されることになる。以下では、中央サーバＳＶによって、制御情報や優先度情報が付加されたＲＳＳデータのことを、「制御情報付ＲＳＳデータ」という。
【００６５】
図６は、中央サーバＳＶからスケジュール部３５０に返信される制御情報付ＲＳＳデータの一例を示す説明図である。図中の破線内に示したように、この制御情報付ＲＳＳデータには、図５に示したＲＳＳデータに対して、コンテンツ情報の表示の制御を行うための「ｓｍｉｌｅｐｌａｙ：ｃｏｎｔｒｏｌ」タグや、警告文を表示するための「ｓｍｉｌｅｐｌａｙ：ｗａｒｎｉｎｇ」タグ、優先度を設定するための「ｓｍｉｌｅｐｌａｙ：ｐｒｉｏｒｉｔｙ」タグが付加されている。
【００６６】
コンテンツ情報の表示の制御を行う「ｓｍｉｌｅｐｌａｙ：ｃｏｎｔｒｏｌ」タグには、「Ａｃｃｅｐｔｅｄ」、「Ｄｅｎｉｅｄ」、「Ｌｉｍｉｔｅｄ」のいずれかのパラメータが付加される。「Ａｃｃｅｐｔｅｄ」は、そのＲＳＳデータに対応するコンテンツ情報の表示を許可する旨を表し、「Ｄｅｎｉｅｄ」は、表示を許可しない旨を表す。また、「Ｌｉｍｉｔｅｄ」は、「ｓｍｉｌｅｐｌａｙ：ｗａｒｎｉｎｇ」タグに記述された警告文を付して表示を許可する旨を表す。図６には、この警告文として、「このページの情報は放送内容とは一切関係有りませんので予めご了承下さい。」という内容の警告文の例を示した。
【００６７】
説明を図３に戻す。スケジュール部３５０は、中央サーバＳＶから図６に示した制御情報付ＲＳＳデータを受信すると、その制御情報付ＲＳＳデータを、一旦、テレビ受像器ＴＶのメモリ内に確保したバッファ領域３５５に記憶する。
【００６８】
再生制御部３６０は、放送受信部３２０によって受信した番組の映像の再生を再生部３７０に指示する。
【００６９】
また、再生制御部３６０は、バッファ領域３５５に記憶された各制御情報付ＲＳＳデータの「ｓｍｉｌｅｐｌａｙ：ｐｌａｙｓｔａｒｔ」タグ、「ｓｍｉｌｅｐｌａｙ：ｐｌａｙｅｎｄ」タグ、および、「ｓｍｉｌｅｐｌａｙ：ｃｈａｎｎｅｌ」タグを参照して、現在、再生部３７０によって再生中の放送番組と同一のチャンネルが設定され、かつ、その放送時刻に合致する表示時刻の設定されたＲＳＳデータを全て取得する。再生制御部３６０は、こうして取得した制御情報付ＲＳＳデータを、その「ｓｍｉｌｅｐｌａｙ：ｐｒｉｏｒｉｔｙ」タグに記述された優先度に従い、再生部３７０に順次出力する。つまり、「ｓｍｉｌｅｐｌａｙ：ｐｒｉｏｒｉｔｙ」タグに記述された優先度が高い制御情報付ＲＳＳデータほど、頻繁に再生部３７０に出力を行う。
【００７０】
再生部３７０は、再生制御部３６０によって指示された放送番組の表示を行う機能や、再生制御部３６０から出力された制御情報付ＲＳＳデータに対応するコンテンツ情報の表示を行う機能を有する。再生部３７０は、番組表示部３７２と、コンテンツ表示部３７４と、メッセージ表示部３７６とから構成される。
【００７１】
番組表示部３７２は、再生制御部３６０から指示された放送番組の映像を画面上に表示する。チャンネル切換部３１０によって受信するチャンネルが切り換えられた場合には、切り換えられたチャンネルの番組を再生する。
【００７２】
コンテンツ表示部３７４は、再生制御部３６０から制御情報付ＲＳＳデータを入力すると、そのＲＳＳデータのリンク先のコンテンツ情報をダウンロードし、番組の再生が行われている画面と同一の画面上にその内容を表示する。このとき、中央サーバＳＶによって付加された制御情報に応じて、以下のように表示の制御を行う。
【００７３】
コンテンツ表示部３７４は、再生制御部３６０から入力した制御情報付ＲＳＳデータの「ｓｍｉｌｅｐｌａｙ：ｃｏｎｔｒｏｌ」タグに、「Ａｃｃｅｐｔｅｄ」と記述されていることを検出すると、そのＲＳＳデータに対応するコンテンツ情報の表示が、中央サーバＳＶによって許可されていると判断し、そのＲＳＳデータのリンク先であるコンテンツ情報をコンテンツサーバＣＳからダウンロードしてそのまま表示する。
【００７４】
これに対して、コンテンツ表示部３７４は、再生制御部３６０から入力した制御情報付ＲＳＳデータの「ｓｍｉｌｅｐｌａｙ：ｃｏｎｔｒｏｌ」タグに、「Ｌｉｍｉｔｅｄ」と記述されていることを検出すると、そのＲＳＳデータに対応するコンテンツ情報の表示が、中央サーバＳＶによって警告文の表示を条件に許可されていると判断し、まず、そのＲＳＳデータ内の「ｓｍｉｌｅｐｌａｙ：ｗａｒｎｉｎｇ」タグに記述された警告メッセージを、メッセージ表示部３７６によって画面上に表示する。そして、リモコンＲＣによる所定の操作（例えば、ＯＫボタンの押下）を検出した後に、その警告メッセージを消去して、そのＲＳＳデータのリンク先であるコンテンツ情報をコンテンツサーバＣＳからダウンロードして表示する。なお、「ｓｍｉｌｅｐｌａｙ：ｗａｒｎｉｎｇ」に警告文が設定されていない場合には、テレビ受像器ＴＶにデフォルトで用意された所定の警告メッセージを表示させるものとしてもよい。
【００７５】
また、コンテンツ表示部３７４は、再生制御部３６０から指示された制御情報付ＲＳＳデータの「ｓｍｉｌｅｐｌａｙ：ｃｏｎｔｒｏｌ」タグに、「Ｄｅｎｉｅｄ」と記述されていることを検出すると、そのＲＳＳデータに対応するコンテンツ情報と現在再生中の番組との同時表示が禁止されていると判断し、画面上に、「現在表示しようとしているコンテンツは、現在再生中の番組と同時に表示することができません。表示をご希望の場合には、放送中の番組を停止してください。」などといったメッセージを表示する。そして、ユーザによって、放送番組の表示が停止された場合に、そのコンテンツ情報を表示する。つまり、この場合には、番組とコンテンツ情報とは同時表示されず、画面上には、コンテンツ情報のみが表示されることになる。なお、中央サーバＳＶが何らかの原因で停止している場合においても、ユーザによって番組の表示が停止された場合にのみ、コンテンツ情報を表示するものとしてもよい。こうすることによって、スポンサ等の意図しないコンテンツ情報が番組とともに表示されることを未然に防止することができる。
【００７６】
（Ｂ−４）中央サーバ：
中央サーバＳＶは、ＣＰＵ、メモリ、ハードディスク等を備えた汎用的なコンピュータである。中央サーバＳＶは、メモリをワークエリアとして用いつつ、ハードディスクにインストールされた所定の制御プログラムを実行することで、図示するコンテンツ表示制御部４１０として機能する。
【００７７】
コンテンツ表示制御部４１０は、テレビ受像器ＴＶのスケジュール部３５０から、インターネットＩＮＴを介して、時刻情報付ＲＳＳデータ（図５参照）を受信すると、ハードディスクに記憶された所定の制御テーブルＴＢＬを参照して、同時に表示を行おうとする番組とコンテンツ情報との内容が適合するか否かを判断する。その結果、これらの内容が適合しない場合には、コンテンツ情報の表示に対して種々の制限を行う。
【００７８】
図７は、制御テーブルＴＢＬの一例を示す説明図である。図示するように、この制御テーブルＴＢＬには、番組名とそのチャンネル、放送時刻、制御対象ＵＲＬ、制御内容、優先度の各パラメータが対応付けて記録されている。
【００７９】
「制御対象ＵＲＬ」とは、その番組の再生時において、表示の制御を行おうとするコンテンツ情報の所在を表すＵＲＬである。
【００８０】
「制御内容」とは、その「制御対象ＵＲＬ」に該当するコンテンツ情報の表示を制御する場合に、どのような制御を行うかを表す情報である。この「制御内容」には、図６に示した「ｓｍｉｌｅｐｌａｙ：ｃｏｎｔｒｏｌ」タグの内容、すなわち、「Ａｃｃｅｐｔｅｄ」、「Ｄｅｎｉｅｄ」、「Ｌｉｍｉｔｅｄ」のいずれかのパラメータが設定されている。また、制御内容が「Ｌｉｍｉｔｅｄ」の場合には、「ｓｍｉｌｅｐｌａｙ：ｗａｒｎｉｎｇ」タグに記述する警告文の内容が記録されている。
【００８１】
「優先度」は、その制御対象ＵＲＬに存在するコンテンツ情報の表示を許可する場合に、その表示の優先度を表す情報である。
【００８２】
図７に示した制御テーブルＴＢＬの内容は、例えば、番組の放送局や制作者、スポンサ等が、コンピュータ等を用い、インターネットＩＮＴを介して中央サーバＳＶにアクセスすることで、個々の番組毎に、番組とコンテンツ情報との適合状態に応じた制御内容の設定を行う。
【００８３】
説明を図３に戻す。中央サーバＳＶのコンテンツ表示制御部４１０は、インターネットＩＮＴ経由で、テレビ受像器ＴＶのスケジュール部３５０から、図５に示した時刻情報付ＲＳＳデータを受信すると、そのＲＳＳデータから表示時刻およびチャンネルの情報を取得し、制御テーブルＴＢＬ内で対応する番組を特定する。そして、そのＲＳＳデータのｉｔｅｍ要素内の「ｌｉｎｋ」タグにリンク先として記録されているＵＲＬが、その番組に対応付けて記録された制御対象ＵＲＬに一致するか否かを判断する。その結果、制御対象ＵＲＬに一致する場合には、制御内容として記録された情報をそのＲＳＳデータに付加する。また、優先度が設定されている場合には、その優先度の情報も、ＲＳＳデータに付加する。こうすることで、図６に示した制御情報付ＲＳＳデータが中央サーバＳＶによって生成されることになる。
【００８４】
なお、制御テーブルＴＢＬに設定する優先度は、任意の値としてもよいが、例えば、アフィリエイトプログラムを利用したコンテンツや話題性の高いコンテンツについて優先度を高めた設定を行うことにより、同時に表示する放送番組とコンテンツ情報とのマッチングを高め、ユーザの利便性をより向上させることが可能となる。
【００８５】
Ｃ．番組表示システム全体における処理の流れ：
図８は、番組表示システム１０全体における処理の流れを示すフローチャートである。
まず、放送局ＴＶＳからは、テレビ受像器ＴＶに対して、番組の映像と電子番組表データとが放送される（ステップＳ１００）。すると、テレビ受像器ＴＶは、かかる放送の受信を行う（ステップＳ１１０）。
【００８６】
一方、コンテンツサーバＣＳから、図４に示すようなＲＳＳデータが配信されると（ステップＳ１２０）。テレビ受像器ＴＶは、かかるＲＳＳデータの受信を行う（ステップＳ１３０）。
【００８７】
テレビ受像器ＴＶは、ＲＳＳデータの受信を行うと、そのＲＳＳデータの内容と関連する番組を電子番組表データから検索する（ステップＳ１４０）。そして、検索された番組の放送時刻とチャンネルを表す情報を、受信したＲＳＳデータに付加し、図５に示すような時刻情報付ＲＳＳデータを生成する（ステップＳ１５０）。
【００８８】
テレビ受像器ＴＶは、時刻情報付ＲＳＳデータを生成すると、このＲＳＳデータを中央サーバＳＶに送信する（ステップＳ１６０）。
【００８９】
中央サーバＳＶは、テレビ受像器ＴＶから時刻情報付ＲＳＳデータを受信すると（ステップＳ１７０）、そのＲＳＳデータに付加された表示時刻、チャンネル、および、そのＲＳＳデータのリンク先のＵＲＬに基づき、図７に示した制御テーブルＴＢＬを参照して、コンテンツ情報の表示を制御するための制御内容と優先度を設定する（ステップＳ１８０）。そして、設定を行ったこれらの内容をＲＳＳデータに付加して、図６に示すような制御情報付ＲＳＳデータを生成する（ステップＳ１９０）。中央サーバＳＶは、こうして、制御情報付ＲＳＳデータを生成すると、テレビ受像器ＴＶに対して、この制御情報付ＲＳＳデータを返信する（ステップＳ２００）。
【００９０】
テレビ受像器ＴＶは、中央サーバＳＶから制御情報付ＲＳＳデータを受信すると（ステップＳ２１０）、そのＲＳＳデータを一旦、内部のバッファ領域３５５に保存する。そして、このバッファ領域３５５の中から、現在再生中の番組のチャンネルおよび放送時刻に対応するＲＳＳデータを取得する。テレビ受像器ＴＶは、こうして取得したＲＳＳデータのリンク先のコンテンツ情報をコンテンツサーバＣＳからダウンロードして放送番組の映像と共に表示する（ステップＳ２２０）。このとき、制御情報や優先度がＲＳＳデータに設定されている場合には、これらの設定に応じてコンテンツ情報の表示を制御する。
【００９１】
Ｄ．効果：
以上で説明した本実施例の番組表示システム１０によれば、コンテンツサーバＣＳから配信されたＲＳＳデータを用いることにより、そのＲＳＳデータに対応するコンテンツ情報に関連する番組を電子番組表データの中から検索することができる。そのため、テレビ受像器ＴＶによってその番組を表示する際には、その番組と同時に、関連するコンテンツ情報を表示することができるので、ユーザの利便性を向上させることができる。
【００９２】
また、本実施例では、コンテンツサーバＣＳから全てのコンテンツ情報をダウンロードすることなく、コンテンツサーバＣＳから定期的に配信されるＲＳＳデータを用いて、コンテンツ情報に関連する番組を検索するため、ネットワークの負荷を軽減することが可能になる。また、ＲＳＳデータには、そのコンテンツ情報の概要がテキスト形式で記述されているため、コンテンツ情報に関連する番組を電子番組表データから容易に検索することが可能になる。
【００９３】
更に、本実施例では、同時に表示を行おうとする番組とコンテンツ情報とが互いに関連する内容であっても、中央サーバＳＶによって、その同時表示を許可するか否かを制御することができる。そのため、例えば、車の番組の再生時に、車に関するコンテンツ情報を表示しようとしても、そのコンテンツ情報が、その番組のスポンサとは異なる製造元の車に関するものであれば、かかるコンテンツ情報の表示を制限することができる。つまり、本実施例によれば、ユーザの利便性と番組のスポンサ等による都合との調和を図り、現在表示中の番組と同時に表示を行うコンテンツ情報について的確な表示のスケジューリングを行うことが可能になる。
【００９４】
また、本実施例によれば、番組制作者等にとって、番組とコンテンツ情報の同時表示が好ましくない場合であっても、一律に表示を禁止するのではなく、ユーザが番組の再生を中断したり、警告がされていることを確認の上でコンテンツ情報を表示させることができる。そのため、ユーザによるコンテンツ情報の入手性を高めることができる。
【００９５】
Ｅ．変形例：
以上、本発明の実施例について説明したが、本発明はこのような実施例に限定されず、その趣旨を逸脱しない範囲で種々の構成を採ることができることはいうまでもない。例えば、以下のような変形が可能である。
【００９６】
（Ｅ−１）変形例１：
上記実施例では、中央サーバＳＶが、制御情報付ＲＳＳデータを生成することで、テレビ受像器ＴＶによるコンテンツ情報の表示制限を行うものとした。これに対して、中央サーバＳＶは、図７に示した制御テーブルＴＢＬを保持する機能のみを有するものとしてもよい。このような構成では、テレビ受像器ＴＶが、中央サーバＳＶからインターネットＩＮＴを介して制御テーブルＴＢＬを取得して、テレビ受像器ＴＶが、制御情報付ＲＳＳデータを生成するものとする。このような構成であれば、全国に無数に設置されているテレビ受像器ＴＶからアクセスを受ける中央サーバＳＶの負荷を軽減することが可能になる。
【００９７】
（Ｅ−２）変形例２：
上記実施例では、中央サーバＳＶが保持する制御テーブルＴＢＬには、制御内容や優先度が設定されているのもとしたが、これらに加えて、例えば、再生可能な日時、時間帯、地域などの情報を設定することも可能である。こうすることにより、例えば、夜間にのみコンテンツ情報を表示させることや、テレビ受像器ＴＶの設置された地域に適したコンテンツ情報を表示させることが可能になる。この結果、ユーザの利便性をより向上させることができる。
【００９８】
（Ｅ−３）変形例３：
上記実施例では、電子番組表データを、放送波を介して放送局から受信するものとした。これに対して、テレビ受像器ＴＶは、所定のサーバからインターネットＩＮＴを介して電子番組表データを受信するものとしてもよい。また、番組の映像も、所定の映像配信サーバからインターネットＩＮＴを介して受信するものとしてもよい。
【００９９】
（Ｅ−４）変形例４：
上記実施例では、コンテンツサーバＣＳから受信した各ＲＳＳデータに対して、電子番組表データに記録された番組を関連づけるものとした。これに対して、電子番組表データに記録された各番組に関連するＲＳＳデータの送信をコンテンツサーバＣＳに要求して、これらを関連づけるものとすることができる。つまり、電子番組表データ中の各番組に対して、ＲＳＳデータを関連づけるものとしてもよい。
【図面の簡単な説明】
【０１００】
【図１】番組表示システム１０の概略構成を示す説明図である。
【図２】電子番組表データの一例を示す説明図である。
【図３】番組表示システム１０の詳細な機能構成を示すブロック図である。
【図４】ＲＳＳデータの一例を示す説明図である。
【図５】時刻情報付ＲＳＳデータの一例を示す説明図である。
【図６】制御情報付ＲＳＳデータの一例を示す説明図である。
【図７】制御テーブルＴＢＬの一例を示す説明図である。
【図８】番組表示システム全体における処理の流れを示すフローチャートである。
【符号の説明】
【０１０１】
１０…番組表示システム
１１０…放送手段
２１０…情報送信部
３１０…チャンネル切換部
３２０…放送受信部
３３０…コンテンツ指示部
３４０…情報受信部
３５０…スケジュール部
３５５…バッファ領域
３６０…再生制御部
３７０…再生部
３７２…番組表示部
３７４…コンテンツ表示部
３７６…メッセージ表示部
４１０…コンテンツ表示制御部
ＴＶＳ…放送局
ＣＳ…コンテンツサーバ
ＴＶ…テレビ受像器
ＳＶ…中央サーバ
ＲＴ…ルータ
ＴＢＬ…制御テーブル
ＩＮＴ…インターネット
【図１】
2007158828.tif 000003
【図２】
2007158828.tif 000004
【図３】
2007158828.tif 000005
【図４】
2007158828.tif 000006
【図５】
2007158828.tif 000007
【図６】
2007158828.tif 000008
【図７】
2007158828.tif 000009
【図８】
2007158828.tif 000010